【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
シューズカバーの供給方法において、
シューズカバー収納モジュール、取出しモジュール、口開けモジュール、リレーモジュールを含み、且つ、
（Ｓ１）広げ、
（Ｓ２）裏返し、
（Ｓ３）リレー復帰の完成か否かを判断し、否であれば（Ｓ３）を繰り返し、
（Ｓ４）口開け、
（Ｓ５）リレー、
（Ｓ６）使用待ち、
（Ｓ７）使用完成、
（Ｓ８）リレー復帰、
（Ｓ９）裏返しの完成か否かを判断し、否であれば（Ｓ９）を繰り返し、
（Ｓ１０）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、
且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）リレー復帰の完成か否かを判断し、否であれば（Ｓ３）を繰り返し、完成であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）リレー復帰はリレーレバーを取り戻してリレーステップの前の状態にすることを指し、（Ｓ９）裏返しの完成か否かを判断し、否であれば（Ｓ９）を繰り返し、完成であれば（Ｓ４）に戻って次の循環に入る、ことを特徴とするシューズカバーの供給方法。
【請求項２】
前記シューズカバーの長さ方向が長形開口の長さ方向と一致し、且つ、前記広げクローの弾性口を広げる運動が長形開口の長さ方向に沿う直線運動であり、且つ、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される、ことを特徴とする請求項１に記載のシューズカバーの供給方法。
【請求項３】
前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかける、ことを特徴とする請求項１に記載のシューズカバーの供給方法。
【請求項４】
前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する、ことを特徴とする請求項３に記載のシューズカバーの供給方法。
【請求項５】
シューズカバーの供給方法において、
シューズカバー収納モジュール、取出しモジュール、口開けモジュール、リレーモジュールを含み、且つ、
（Ｓ１）広げ、
（Ｓ２）裏返し、
（Ｓ３）使用完成か否かを判断し、否であれば（Ｓ３）を繰り返し、
（Ｓ４）口開け、
（Ｓ５）リレー復帰、
（Ｓ６）リレー、
（Ｓ７）使用待ち、
（Ｓ８）使用完成、
（Ｓ９）裏返しの完成か否かを判断し、否であれば（Ｓ９）を繰り返し、
（Ｓ１０）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、
且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）前の１つのシューズカバーの使用完成か否かを判断し、否であれば（Ｓ３）を繰り返し、完成であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレー復帰はリレーレバーを取り戻し、且つリレーレバーの取り戻しはフックのリレー位置を通過する前に完成され、前記リレー位置はリレーレバーが伸出状態になっている時に所在する位置を指し、（Ｓ６）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ９）ステップは裏返しの完成か否かを判断し、否であれば（Ｓ９）を繰り返し、完成であれば（Ｓ４）に戻って次の循環に入る、ことを特徴とするシューズカバーの供給方法。
【請求項６】
前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかけ、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備し、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻り、広げクローの背部にはリレー面取りを有し、前記シューズカバーが平坦化状態でシューズカバー収納モジュールに積層され、前記シューズカバーが幅方向に沿って開けられる、ことを特徴とする請求項５のシューズカバーの供給方法。
【請求項７】
シューズカバーの供給方法において、
シューズカバー収納モジュール、取出しモジュール、口開けモジュール、リレーモジュールを含み、且つ、
（Ｓ１）広げ、
（Ｓ２）使用完成か否かを判断し、否であれば（Ｓ２）を繰り返し、
（Ｓ３）裏返し、
（Ｓ４）口開け、
（Ｓ５）リレー、
（Ｓ６）使用待ち、
（Ｓ７）使用完成、
（Ｓ８）裏返しの完成か否かを判断し、否であれば（Ｓ８）を繰り返し、
（Ｓ９）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記広げクローの（Ｓ５）ステップ時の位置と前記リレーレバーは前記シューズカバーの口開け方向に沿って並行して揃え、
且つ、（Ｓ１）広げは取出しモジュールの広げクローが前記長形の開口内においてシューズカバーの弾性口を広げることを指し、（Ｓ３）裏返しは取出しモジュールの広げクローが裏返し運動によって、シューズカバーをリレー状態の位置まで搬送し、且つシューズカバーの弾性口にリレーレバーを囲ませることを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーはフックの引張り力がシューズカバーの弾性口に作用し、シューズカバーの弾性口を広げクローから離脱させ、リレーレバーに滑り向かせ、リレーレバーが前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）ステップは裏返しの完成か否かを判断し、否であれば（Ｓ８）を繰り返し、完成であれば（Ｓ４）に戻って次の循環に入る、ことを特徴とするシューズカバーの供給方法。
【請求項８】
（Ｓ５）リレーステップにおいて、フックの引張り力がシューズカバーの弾性口に作用し、同時に広げクローが真ん中に向いて運動することによって、シューズカバーの弾性口を広げクローから離脱させ、リレーレバーに滑り向かせる、ことを特徴とする請求項７に記載のシューズカバーの供給方法。
【請求項９】
前記リレーレバーが伸出及び収縮できる、ことを特徴とする請求項７に記載のシューズカバーの供給方法。
【請求項１０】
前記リレーレバーが固設され、リレーレバーは広げクローを回避するための１つの段差を有する、ことを特徴とする請求項７に記載のシューズカバーの供給方法。
【請求項１１】
シューズカバーの供給方法において、
シューズカバー収納モジュール、取出しモジュール、口開けモジュール、リレーモジュールを含み、且つ、
（Ｓ１）広げ、
（Ｓ２）裏返し、
（Ｓ３）使用完成か否かを判断し、否であれば（Ｓ３）を繰り返し、
（Ｓ４）口開け、
（Ｓ５）リレー、
（Ｓ６）使用待ち、
（Ｓ７）使用完成、
（Ｓ８）裏返しの完成か否かを判断し、否であれば（Ｓ８）を繰り返し、
（Ｓ９）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記リレーレバーが固設されており、且つ前記シューズカバーの口開け方向に沿って、リレーレバーの位置が前記広げクローの（Ｓ５）ステップ時における位置より前向きであり、前記フックが（Ｓ４）ステップを実行する時に前記リレーレバーの底部から通過し、且つ（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーは広げクローがシューズカバーをリレーモジュールのリレーレバーに引っかけ且つ逆方向に向いて裏返し、リレーレバーが前記広げクローの代わりに前記フックと一緒にシューズカバーの弾性口を口開け状態にし、前記広げクローが逆方向に裏返して前記長形開口に戻し、且つ次の（Ｓ１）広げステップを開始し、（Ｓ８）ステップは裏返しの完成か否かを判断し、否であれば（Ｓ８）を繰り返し、完成であれば（Ｓ４）に戻って次の循環に入る、ことを特徴とするシューズカバーの供給方法。
【請求項１２】
（Ｓ５）リレーステップは（Ｓ４）口開けステップのフックがリレーレバーの底部から通過した後開始する、ことを特徴とする請求項１１に記載のシューズカバーの供給方法。
【請求項１３】
（Ｓ５）リレーステップは（Ｓ４）口開けステップの完成する前に開始し、（Ｓ４）及び（Ｓ５）のステップが共に完成した後、やっと（Ｓ６）ステップに入る、ことを特徴とする請求項請求項１２に記載のシューズカバーの供給方法。
【請求項１４】
シューズカバーの供給方法において、
シューズカバー収納モジュール、取出しモジュール、口開けモジュール、リレーモジュールを含み、取出しモジュールは、
（ＳＡ１）広げ、即ち広げクローが収納モジュール内においてシューズカバーを広げ、
（ＳＡ２）裏返し、即ち広げられたシューズカバーを口開け／リレー位置に裏返すステップを実行し、
口開けステップは、
（ＳＢ１）口開け、即ちフックによってシューズカバーを引っ張って広げ、
（ＳＢ２）使用待ち及びシューズカバーを使用するステップを実行し、
取出しモジュール及びリレーモジュールは共同に、
（ＳＣ１）リレー、取出しモジュールの広げクローがシューズカバーの後端をリレーレバーに引っかけ、広げクローが元に向いて裏返すステップを実行し、
そのうち、（ＳＢ１）（ＳＢ２）が循環作動する時に、（ＳＡ１）（ＳＡ２）も循環作動している、ことを特徴とするシューズカバーの供給方法。
【請求項１５】
収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有する、ことを特徴とする請求項１４に記載のシューズカバーの供給方法。
【請求項１６】
シューズカバーの供給システムにおいて、シューズカバー収納モジュール、取出しモジュール、口開けモジュール、リレーモジュールを含み、
収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、
収納モジュールの本体はボックスであり、１対の広げクローの端部のシューズカバーを広げる方向にフックをさらに有し、
前記シューズカバー収納モジュールは取出しモジュールの上部に位置し、且つ長形開口が下に向いて設置され、
前記口開けモジュールは取出しモジュールの下部に位置し且つ口開けモジュールのシューズカバーを受け取る片端が取出しモジュールに接近して設置され、
リレーモジュールは口開けモジュールのシューズカバーを受け取る片端に接近して設置される、ことを特徴とするシューズカバーの供給システム。
【請求項１７】
前記取出しモジュールは正逆ねじスクリュー及びネジの回転方向が反対する１対のナットを含み、前記広げクローがナットと固接されまたは一体に成形され、前記取出しモジュールはさらに広げクローの回転を約束する案内部材を含む、ことを特徴とする請求項１６に記載のシューズカバーの供給システム。
【請求項１８】
前記案内部材は１つの位置決めホルダを含み、位置決めホルダは正逆ねじスクリューの長さ方向に沿って設置される位置決め溝を有し、広げクローが位置決めホルダの位置決め溝内に制限され、または前記案内部材は１つの位置決め軸を含み、位置決め軸が正逆ねじスクリューの長さ方向に沿って設置され、広げクローが前記位置決め軸と対応する案内孔を有し、広げクローが案内孔を通じて位置決め軸に被装される、ことを特徴とする請求項１７に記載のシューズカバーの供給システム。
【請求項１９】
前記取出しモジュールはさらに前記案内部材と連接するロッカー・アーム、及び減速機構を含み、案内部材が減速機構を通じて主ねじと連動・連接される、ことを特徴とする請求項１７に記載のシューズカバーの供給システム。
【請求項２０】
ロッカー・アームがクラッチ機構を通じて案内部材を連接する、ことを特徴とする請求項１９に記載のシューズカバーの供給システム。
【請求項２１】
前記減速機構がギア機構であり、正逆ねじスクリューに固定される入力ギア、入力ギアと噛合うダブル・ギヤ、ダブル・ギヤと噛合う出力ギア、出力ギアと固接するロッカー・アームを含み、または前記減速機構が同期減速の有する機構である、ことを特徴とする請求項１９に記載のシューズカバーの供給システム。
【請求項２２】
前記クラッチ機構は前記ロッカー・アームに設置されるアーチ形溝及びアーチ形溝内に設置されるピンを含み、ピンがロッカー・アームと固接され、または前記クラッチ機構が前記位置決めホルダに設置されるアーチ形溝及びアーチ形内に設置されるピンを含み、ピンがロッカー・アームと固接される、ことを特徴とする請求項２０に記載のシューズカバーの供給システム。
【請求項２３】
前記口開けモジュールはシューズカバーを開けるための２セットまたは２セット以上の循環に使用されるフックを含む、ことを特徴とする請求項１６に記載のシューズカバーの供給システム。
【請求項２４】
前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される、ことを特徴とする請求項２３に記載のシューズカバーの供給システム。